(57)【要約】【課題】表示装置本体の下側に開設されているスタンド取付用の挿入孔を、壁掛けされる場合、本来なら使用されないスタンドの一部で塞ぐことができる表示装置を提供する。【解決手段】前側に表示面を有し、下側に挿入孔５１を有する表示装置本体１と、上部が挿入孔５１に挿入され、表示装置本体１を起立状態で支持するスタンドとを備え、該スタンドを、横方向へ離隔して並置されている二つの柱体２１ａ，２１ａ及び該柱体２１ａ，２１ａの下部を連結する連結体２１ｂを有する支柱部材２１と、該支柱部材２１の連結体２１ｂが取外しを可能に連結されているベース部材とを備える構成とし、壁掛けされる場合、支柱部材２１を挿入孔５１へ挿入して該挿入孔５１を塞ぐようにした。【選択図】図８
2009047921.tif 000002
【特許請求の範囲】
【請求項１】
前側に表示面を有し、下側に挿入孔を有する表示装置本体と、上部が前記挿入孔へ挿入され、前記表示装置本体を起立状態で支持するスタンドとを備える表示装置において、前記スタンドは、前記挿入孔へ挿入され、該挿入孔を塞ぐ支柱部材と、該支柱部材の下端に取外しを可能に取付けられているベース部材とを有することを特徴とする表示装置。
【請求項２】
前記支柱部材は横方向へ離隔して並置されている複数の柱体と、該柱体の下部を連結し、前記ベース部材に取外しを可能に取付けられている連結体とを有し、前記挿入孔は前記柱体夫々、及び連結体の挿入が可能である請求項１記載の表示装置。
【請求項３】
前記表示装置本体は後側に取付孔を有し、該取付孔に挿通され、前記支柱部材を前記表示装置本体に固定するピン部材を備える請求項１記載の表示装置。
【発明の詳細な説明】
【技術分野】
【０００１】
本発明は液晶表示装置、プラズマ表示装置等の表示装置に関する。
【背景技術】
【０００２】
液晶テレビジョン等の薄型の表示装置は、起立した状態を維持するためのスタンドを有する床置き型と、スタンドがなく、壁に掛けられる壁掛け型とがある。
【０００３】
床置き型の表示装置は、前側に表示面を有する表示装置本体の下側に挿入孔が開設され、該挿入孔にスタンドの上部が挿入され、雄螺子の捩込みにより固定される（例えば、特許文献１参照）。壁掛けされる表示装置は、前記雄螺子を弛緩し、前記スタンドの上部を表示装置本体の下側の挿入孔から抜出し、スタンドを取外した構成となる。そして、表示装置本体の後側に壁掛け金具が取付けられる。
【特許文献１】特開２００６−３３７７７６号公報
【発明の開示】
【発明が解決しようとする課題】
【０００４】
ところが、壁掛けされる表示装置は、表示装置本体の下側に開設されているスタンド取付用の挿入孔が開放された状態になっているため、前記挿入孔から表示装置本体の内側へ塵埃、虫などの異物が侵入し、表示装置の故障の原因になるし、また、表示装置の下側から前記挿入孔が丸見えで、外観性が良くなく、改善策が要望されていた。
【０００５】
ところで、前記挿入孔を塞ぐには孔塞ぎ用の閉塞部材を別途設けることが考えられる。しかし、この場合、部品点数が増加し、また、閉塞部材の取付部を余計に加工する必要があり、表示装置のコストが高くなり、好ましくない。
【０００６】
本発明は斯かる事情に鑑みてなされたものであり、主たる目的は、スタンドを、前記挿入孔へ挿入され、該挿入孔を塞ぐ支柱部材と、該支柱部材の下端に取外しを可能に取付けられているベース部材とを有する構成とし、壁掛けされる場合、ベース部材を支柱部材から取外し、支柱部材により前記挿入孔を塞ぐことができるようにした。
【課題を解決するための手段】
【０００７】
本発明に係る表示装置は、前側に表示面を有し、下側に挿入孔を有する表示装置本体と、上部が前記挿入孔に挿入され、前記表示装置本体を起立状態で支持するスタンドとを備える表示装置において、前記スタンドは、前記挿入孔に挿入され、該挿入孔を塞ぐ支柱部材と、該支柱部材の下端に取外しを可能に取付けられているベース部材とを有することを特徴とする。
この発明にあっては、壁掛けされる場合、表示装置本体からスタンドを取外し、該スタンドのベース部材を支柱部材から取外し、該支柱部材を表示装置本体の下側の挿入孔へ挿入することにより、該挿入孔を塞ぐことができる。
【０００８】
また、本発明に係る表示装置は、前記支柱部材は横方向へ離隔して並置されている複数の柱体と、該柱体の下部を連結し、前記ベース部材に取外しを可能に取付けられている連結体とを有し、前記挿入孔は前記柱体夫々、及び連結体の挿入が可能である構成とするのが好ましい。
この発明にあっては、横方向へ離隔して並置されている柱体及び該柱体夫々の下部を連結してある連結体に対応する比較的大形の挿入孔が開設されている表示装置本体の前記挿入孔を、スタンドの支柱部材で塞ぐことができる。
【０００９】
また、本発明に係る表示装置は、前記表示装置本体は後側に取付孔を有し、該取付孔に挿通され、前記支柱部材を前記表示装置本体に固定するピン部材を備える構成とすることが好ましい。
この発明にあっては、表示装置本体の下側の挿入孔へ支柱部材を挿入した後、ピン部材を取付孔へ挿通することにより、支柱部材を固定することができ、振動などで支柱部材が不測に抜出るのを防ぐことができる。
【発明の効果】
【００１０】
本発明によれば、壁掛けされる場合、表示装置本体の下側に開設されているスタンド取付用の挿入孔を、本来なら使用されないスタンドの支柱部材により塞ぐことができるため、部品点数を増加することなく、挿入孔からの異物侵入を防ぐことができ、また、外観性を良好にできる。
【発明を実施するための最良の形態】
【００１１】
以下本発明をその実施の形態を示す図面に基づいて詳述する。
図１は表示装置の構成を示す正面側の斜視図、図２は表示装置の構成を示す背面側の斜視図、図３は表示装置本体が備える支持体の構成を示す背面図、図４は表示装置が備えるスタンドの構成を示す斜視図、図５はスタンドの構成を示す分解斜視図、図６はスタンドを取外してある表示装置本体の構成を示す背面側斜視図である。
【００１２】
図示した表示装置は、テレビ画像を表示する表示面１ａを前側に有し、略直方体をなす表示装置本体１と、該表示装置本体１の後側下部に取外し可能に取付けられ、表示装置本体１を起立状態で支持するスタンド２とを備える薄型の液晶テレビジョンである。
【００１３】
表示装置本体１は前側に表示面１ａを有する液晶のパネルと、該パネルの後側に配置された光学シートと、バックライト部と、これらパネル等の部品を支持する支持体３と、該支持体３の後側の面に取付けられている支持体補強用の二つの取付部材４，４と、パネルの外周り及び支持体３の後側を被覆するキャビネット５とを備えており、取付部材４，４にスタンド２の上部が取付けられている。
【００１４】
支持体３は略直方体をなす横長の枠部材３１と、周縁部が枠部材３１に結合され該枠部材３１の後側端を閉鎖する蓋板３２とを有する箱形をなし、内側に前記バックライト部が支持され、開放側に前記パネル及び光学シートが支持されており、また、蓋板３２の後側で長手方向の２箇所に二つの取付部材４，４が取付けられている。
【００１５】
取付部材４，４は、複数の凹凸条を有する帯状板４１，４１と、該帯状板４１，４１の両端部に取付けられた二つの半角筒体４２，４２とを有する柱形をなし、下側となる半角筒体４２及び帯状板４１によりスタンド取付部４３，４３が形成されている。スタンド取付部４３，４３の半角筒体４２，４２には二つの第１筒体４４，４４及び第２筒体４５が設けられており、上側となる半角筒体４２には第２筒体４５が設けられている。第１筒体４４及び第２筒体４５はキャビネット５の内面に当接する程度の長さに形成され、スタンド取付時、及び壁掛け金具取付時にキャビネット５が撓まないようになっている。
【００１６】
キャビネット５は深皿形をなし、下側にはスタンド２の上部が挿入される挿入孔５１が開設され、後側の下部には第１筒体４４，４４に対応する四つの取付孔５２と、第２筒体４５に対応する二つの取付孔５３とが開設され、取付孔５２へ挿通される雄螺子によりスタンド２をスタンド取付部４３，４３に固定するように構成されている。キャビネット５の後側の上部には第２筒体４５に対応する二つの取付孔５３が開設され、取付孔５３へ挿通される雄螺子により壁掛け金具をキャビネット５の後面に取付けることができるように構成されている。挿入孔５１は底面視長方形をなし、取付部材４，４の下端と対応する位置に横方向に配されている。
【００１７】
スタンド２は横方向へ離隔して並置され、スタンド取付部４３，４３に挿入される二つの柱体２１ａ，２１ａ及び該柱体２１ａ，２１ａの下部を連結している連結体２１ｂを有し、凹条をなす支柱部材２１と、該支柱部材２１の下端に雄螺子２３により取外しを可能に取付けられているベース部材２２とを有する。
【００１８】
柱体２１ａ，２１ａは半角筒形をなし、長手方向（上下）へ離隔して二つの螺子孔２１ｃ，２１ｃが開設されている。
【００１９】
連結体２１ｂは挿入孔５１を塞ぐことができる断面四角形の角柱からなり、両端部の一面に柱体２１ａ，２１ａが取付けられており、中央側に一面及び他面を貫通する複数の貫通孔２１ｄが開設されている。
【００２０】
ベース部材２２は、略四角形をなすベース体２２ａと、該ベース体２２ａの中央部に突設されている半円柱形のボス部２２ｂとを有し、該ボス部２２ｂに、貫通孔２１ｄに対応する複数の螺子孔２２ｃが開設され、貫通孔２１ｄへ挿通される雄螺子２３が螺子孔２２ｃへ捩込まれることにより、支柱部材２１をベース部材２２に取外しを可能に取付けてある。
【００２１】
以上のように構成された表示装置は、スタンド２における支柱部材２１の連結体２１ｂがベース部材２２に雄螺子２３で取付けられることによりスタンド２が形成され、該スタンド２の支柱部材２１がキャビネット５の挿入孔５１へ挿入され、該スタンド２が表示装置本体１を起立状態で支持する床置き型となる。
【００２２】
図７はスタンド２が表示装置本体１に取付けられる状態を示す説明図である。支柱部材２１は、二つの柱体２１ａ，２１ａが支持体３のスタンド取付部４３，４３に挿入され、連結体２１ｂがキャビネット５の挿入孔５１へ挿入され、キャビネット５の取付孔５２へ挿通される雄螺子７が第１筒体４４，４４内を経て柱体２１ａ，２１ａの螺子孔２１ｃ，２１ｃに捩込まれ、柱体２１ａ，２１ａが支持体３に固定される。
【００２３】
図８は壁掛けされる場合に挿入孔５１が塞がれる状態を示す説明図、図９は支柱部材２１により挿入孔５１が塞がれている状態を示す斜視図である。壁掛けされる場合、雄螺子７が弛緩され、支柱部材２１の固定が解除され、該支柱部材２１が挿入孔５１から抜出され、スタンド２が取外しされる。そして、スタンド２の雄螺子２３が弛緩され、ベース部材２２が支柱部材２１から取外しされ、支柱部材２１がキャビネット５の挿入孔５１へ挿入される。
【００２４】
支柱部材２１は、二つの柱体２１ａ，２１ａが支持体３のスタンド取付部４３，４３に挿入され、連結体２１ｂがキャビネット５の挿入孔５１へ挿入され、該連結体２１ｂが挿入孔５１を塞ぐ。キャビネット５の取付孔５２へ挿通される雄螺子７が第１筒体４４，４４内を経て二つの柱体２１ａ，２１ａの螺子孔２１ｃ，２１ｃに捩込まれ、柱体２１ａ，２１ａが支持体３に固定される。
【００２５】
このように壁掛けされる場合、本来なら使用されないスタンド２を用い、該スタンド２の支柱部材２１をキャビネット５の挿入孔５１へ挿入して該挿入孔５１を塞ぐため、部品点数を増加することなく挿入孔５１を塞ぐことができ、表示装置のコストを低減できる。また、挿入孔５１を塞いであるため、塵埃、虫などの異物が挿入孔５１からキャビネット５内へ侵入するのを防ぐことができ、また、表示装置の外観性を良好にできる。
【００２６】
尚、以上説明した実施の形態では二つの柱体２１ａ，２１ａ及び連結体２１ｂを有する支柱部材２１をキャビネット５の挿入孔５１へ挿入する構成としたが、その他、連結体２１ｂがなく、一つの柱体２１ａからなる支柱部材を有する構成としてもよい。この場合、一つの柱体２１ａに対応する挿入孔５１がキャビネット５の下側に開設され、一つの柱体２１ａを挿入孔５１へ挿入することにより、該柱体２１ａが挿入孔５１を塞ぐ。また、柱体２１ａは三つ以上であってもよい。
【００２７】
また、以上説明した実施の形態では、キャビネット５の取付孔５２に挿通され、柱体２１ａの螺子孔２１ｃに捩込まれる雄螺子７が支柱部材を支持体３に固定するようにしたが、その他、雄螺子７に代えてピンを用い、該ピンを、柱体２１ａに開設される嵌合孔に嵌入することにより柱体２１ａを支持体３に固定するように構成してもよい。
【００２８】
また、以上説明した実施の形態では、壁掛けされる場合、スタンド２を表示装置本体１から一旦取外した後、スタンド２のベース部材２２を支柱部材２１から取外し、支柱部材２１を表示装置本体１の挿入孔５１へ挿入するように構成したが、その他、スタンド２の支柱部材２１が挿入孔５１に挿入され、柱体２１ａが支持体３に固定されている状態でベース部材２２を支柱部材２１から取外すことができるように構成してもよい。この場合、ベース部材２２の螺子孔２２ｃに代えてボス部２２ｂを貫通する貫通孔を設け、また、連結体２１ｂの貫通孔２１ｄに代えて螺子孔を設け、ベース部材２２の下側で該ベース部材２２の貫通孔に挿通する雄螺子を連結体２１ｂの螺子孔に捩込む構成とし、ベース部材２２の下側で雄螺子を弛緩することにより支柱部材２１が固定されている状態でベース部材２２を取外すことができる。
【００２９】
また、本発明に係る表示装置は液晶テレビジョン等の液晶表示装置である他、プラズマ表示装置、ＥＬディスプレイ等の表示装置であってもよい。
【図面の簡単な説明】
【００３０】
【図１】本発明に係る表示装置の構成を示す正面側の斜視図である。
【図２】本発明に係る表示装置の構成を示す背面側の斜視図である。
【図３】表示装置本体が備える支持体の構成を示す背面図である。
【図４】本発明に係る表示装置が備えるスタンドの構成を示す斜視図である。
【図５】本発明に係る表示装置が備えるスタンドの構成を示す分解斜視図である。
【図６】スタンドを取外してある表示装置本体の構成を示す背面側斜視図である。
【図７】スタンドが表示装置本体に取付けられる状態を示す説明図である。
【図８】壁掛けされる場合に挿入孔が塞がれる状態を示す説明図である。
【図９】支柱部材により挿入孔が塞がれている状態を示す斜視図である。
【符号の説明】
【００３１】
１    表示装置本体
１ａ  表示面
２    スタンド
２１  支柱部材
２１ａ  柱体
２１ｂ  連結体
２２  ベース部材
２３  雄螺子（ピン部材）
５１  挿入孔
【図１】
2009047921.tif 000003
【図２】
2009047921.tif 000004
【図３】
2009047921.tif 000005
【図４】
2009047921.tif 000006
【図５】
2009047921.tif 000007
【図６】
2009047921.tif 000008
【図７】
2009047921.tif 000009
【図８】
2009047921.tif 000010
【図９】
2009047921.tif 000011